(57)【要約】【課題】中間後分岐の際に、光ファイバケーブルのスロットコアのスロット溝内の光ファイバを傷つけることなく、光ファイバの口出し作業を容易に行う。【解決手段】光ファイバケーブル１は、光ファイバ３を収納する１つのスロット溝５を備えたスロットコア７と、このスロットコア７の周囲を被覆するシース９と、このシース９の内部に縦添えしているリップコード１１と、からなる。さらに、前記シース９が前記スロット溝５の開口部１３側のシース厚を前記スロット溝５の開口部１３側と反対側のシース厚よりも相対的に厚くした偏心シース構造であると共に、前記リップコード１１が前記スロット溝５の開口部１３側と反対側の位置で前記シース９の内側で、かつスロットコア７の外周に配設した構造であることを特微とする。【選択図】図１
2008076898.tif 000002
【特許請求の範囲】
【請求項１】
光ファイバを内部に収納する１つのスロット溝を備えたスロットコアと、このスロットコアの周囲を被覆するシースと、このシースの内部に縦添えしているリップコードと、からなる光ファイバケーブルにおいて、
前記シースが前記スロット溝の開口部側のシース厚を前記スロット溝の開口部側と反対側のシース厚よりも相対的に厚くした偏心シース構造であると共に、前記リップコードが前記スロット溝の開口部側と反対側の位置で前記シースの内側で、かつスロットコアの外周に配設した構造であることを特微とする光ファイバケーブル。
【請求項２】
光ファイバ保護用の線条体が前記スロット溝とリップコードを結ぶ直線上に位置して前記スロットコアの長手方向に延伸して前記スロットコアの内部に埋設されてなることを特徴とする請求項１記載の光ファイバケーブル。
【請求項３】
前記線条体が鋼線又はＦＲＰで構成されていることを特徴とする請求項２記載の光ファイバケーブル。
【発明の詳細な説明】
【技術分野】
【０００１】
この発明は、光ファイバケーブルに関し、特に光ファイバを内部に収納する１つのスロット溝を備えたスロットコアの周囲をシースで被覆し、このシースの内部にリップコードを縦添えしている１溝スロットコア型の光ファイバケーブルであって、中間後分岐の際に前記スロット溝内の光ファイバを傷つけることなく、光ファイバの口出し作業を容易に行える光ファイバケーブルに関する。
【背景技術】
【０００２】
従来の光ファイバケーブルとしては、特許文献１に示されているように、光ファイバを内部に収納する１つのスロット溝を備えたスロットコアの周囲をシースで被覆し、このシースの内部にリップコードを縦添えしている１溝スロットコア型の光ファイバケーブルであって、前記スロット溝の開口部側のシース厚がスロット溝の開口部側と反対側のシース厚よりも相対的に薄くした偏心シース構造であり、かつスロット溝の開口部側のシースの内側にリップコードを配設した構造である。
【０００３】
また、特許文献２の光ファイバケーブルは、軸方向に連続した内外部を連絡したスリットを有するチューブの内部に光ファイバを収納したスリット付きルースチューブ型の光ファイバケーブルであって、前記スリット側のシース厚がスリット側と反対側のシース厚よりも相対的に薄くした偏心シース構造であり、かつスリット側のシースの内側にリップコードを配設した構造である。
【０００４】
また、特許文献３の光ファイバケーブルは、光ファイバを内部に収納する１つのスロット溝を備えたスロットコアの周囲をシースで被覆した１溝スロットコア型の光ファイバケーブルであって、その第３の実施例ではスロット溝の開口部にシースが落ち込むことで、スロット溝の開口部のシースが部分的に厚くなっている構造である。
【特許文献１】特開昭６２−２９１６０８号公報
【特許文献２】特開昭６３−５３１３号公報
【特許文献３】特開昭６２−８０６１１号公報
【発明の開示】
【発明が解決しようとする課題】
【０００５】
ところで、従来の特許文献１の光ファイバケーブルにおいては、スロット溝の開口部側のシース厚が薄いために、この部分のシースの機械的強度が劣化するという問題点があった。逆に、シースの機械的強度を確保するためには、スロット溝の開口部側のシース厚をある程度厚くすることが必要となるので、スロット溝部分に実装されているリップコードの取り出しや開口部側のシースの引き裂きを行い難くなるという問題点があった。
【０００６】
さらには、スロット溝の開口部側のシースの機械的強度を最低限確保しながらシースの偏肉を施すと、光ファイバケーブルの外径が大きくならざるを得ないという問題点があった。
【０００７】
また、リップコードを取り出す際、ナイフなどの切裂き工具の刃先でシースを切り裂く必要があるが、スロット溝の開口部側にリップコードが実装されているために、前記切裂き工具によってスロット溝内の光ファイバを傷つける恐れがあるという問題点があった。特に、中間後分岐時には光ファイバを傷つけることは致命的な障害となる。
【０００８】
特許文献２の光ファイバケーブルにおいては、スリット側のシース厚が薄いので、上述した特許文献１の光ファイバケーブルとほぼ同様の問題点があった。
【０００９】
特許文献３の光ファイバケーブルにおいては、単にスロット溝の開口部にシースが落ち込むことで、スロット溝の開口部のシースが部分的に厚くなっており、この開口部側の厚いシースの切裂きを行い難くなるという問題点があった。
【課題を解決するための手段】
【００１０】
上記発明が解決しようとする課題を達成するために、この発明の光ファイバケーブルは、光ファイバを内部に収納する１つのスロット溝を備えたスロットコアと、このスロットコアの周囲を被覆するシースと、このシースの内部に縦添えしているリップコードと、からなる光ファイバケーブルにおいて、
前記シースが前記スロット溝の開口部側のシース厚を前記スロット溝の開口部側と反対側のシース厚よりも相対的に厚くした偏心シース構造であると共に、前記リップコードが前記スロット溝の開口部側と反対側の位置で前記シースの内側で、かつスロットコアの外周に配設した構造であることを特微とするものである。
【００１１】
また、この発明の光ファイバケーブルは、前記光ファイバケーブルにおいて、光ファイバ保護用の線条体が前記スロット溝とリップコードを結ぶ直線上に位置して前記スロットコアの長手方向に延伸して前記スロットコアの内部に埋設されていることが好ましい。
【００１２】
また、この発明の光ファイバケーブルは、前記光ファイバケーブルにおいて、前記線条体が鋼線又はＦＲＰで構成されていることが好ましい。
【発明の効果】
【００１３】
以上のごとき課題を解決するための手段から理解されるように、この発明によれば、スロット溝の開口部側のシース厚がスロット溝の開口部側と反対側のシース厚より相対的に厚いので、外力が作用してもスロット溝の内部の光ファイバの損傷を防ぐことができ、スロット溝の開口部側と反対側のシース厚が薄い部分の機械的強度は、スロットコアの底部で補填できる。
【００１４】
また、光ファイバを内部に収容しているスロット溝の開口部側とは反対側の薄いシース厚からシース剥ぎ取りを開始するので、光ファイバの接続作業時に切裂き工具の刃先などで、光ファイバを傷つけることなく、光ファイバの口出し作業を容易に行うことができる。
【００１５】
また、リップコードがスロット溝の開口部側と反対側のシースの内部に位置し、かつこの部分のシース厚が薄いので、リップコードを容易に取り出してシースを容易に引き裂くことができる。また、前記引裂き部のシース厚が薄いので、スロットコアを容易に取り出すことができる。
【発明を実施するための最良の形態】
【００１６】
以下、この発明の実施の形態について図面を参照して説明する。
【００１７】
図１を参照するに、この実施の形態に係る光ファイバケーブル１は１溝スロット型の光ファイバケーブルであり、光ファイバ３を内部に収納するための１つのスロット溝５を備えたスロットコア７と、このスロットコア７の周囲を被覆するシース９と、このシース９の内部に縦添えしているリップコード１１（Rip Cord；引裂紐）と、から構成されている。このリップコード１１はスロットコア７から光ファイバ３を取り出すための口出し時にシース９を引き裂くことに使用されるものである。
【００１８】
なお、図１ではスロット溝５が断面円形であり、このスロット溝５の内部に一又は複数の光ファイバ３が収納されるもので、図１では８本の光ファイバ３が収納されている。なお、光ファイバ３としては、光ファイバ素線、光ファイバ心線又は光ファイバテープ心線などが用いられる。
【００１９】
また、上記のシース９は例えばポリエチレン樹脂などの樹脂からなり、スロット溝５の開口部１３側のシース厚がスロット溝５の開口部１３側と反対側のシース厚よりも相対的に厚くした偏心シース構造としている。しかも、上記のリップコード１１はスロット溝５の開口部１３側と反対側の位置でシース９の内側で、かつスロットコア７の外周に配設した構造としている。例えば、リップコード１１が位置している部分のシース厚は例えば１ｍｍ程度である。
【００２０】
上記構成により、光ケーブル１の作用、効果を説明すると、スロット溝５の開口部１３側のシース厚がスロット溝５の開口部１３側と反対側のシース厚よりも相対的に厚いので、この部分の機械的強度が補填されているため、外力が作用してもスロット溝５の内部の光ファイバ３の損傷を防ぐことができる。しかも、スロット溝５の開口部１３側と反対側のシース厚が薄い部分の機械的強度は、スロット溝５の開口部１３側と反対側のスロットコア７の底部で補填されることになる。
【００２１】
また、中間後分岐などで、光ファイバケーブル１から光ファイバ３の口出しを行うときは、図３（Ａ）に示されているように、ナイフなどの切裂き工具１５の刃先をシース９に当てて切り裂いてから、シース９の内部からリップコード１１を取り出す。このとき、リップコード１１がスロット溝５の開口部１３側と反対側のシース９の内部に位置しており、かつこの部分のシース厚が１ｍｍ程度と薄いので、リップコード１１を取り出し易く、かつ、この部分がスロットコア７の底部、すなわちスロット溝５の開口部１３側と反対側に位置しているので、光ファイバ３を傷つけることを防止できる。
【００２２】
また、上記のようにリップコード１１を取り出してから、このリップコード１１を引っ張ると、図３（Ｂ）に示されているように、シース厚が１ｍｍ程度と薄いのでシース９が容易に引き裂かれる。その上、引裂き部１７のシース厚が薄いので、この引裂き部１７でシース９を広げやすいために、図３（Ｃ）に示されているように、スロットコア７を容易に取り出すことができる。
【００２３】
次に、図３（Ｄ）に示されているように、口出しされる部分のシース９が切り取られる。図３（Ｅ）に示されているように、スロットコア７のスロット溝５の開口部１３から所望の光ケーブル１を容易に取り出すことができる。
【００２４】
次に、この発明の他の実施の形態の光ファイバケーブル１９について図面を参照して説明する。なお、前述した実施の形態の光ファイバケーブル１とほぼ同様であるので、主として異なる部分のみを説明し、同様の部材は同じ符号を付して詳細な説明は省略する。
【００２５】
図２を参照するに、この光ケーブル１９が前述した光ケーブル１と異なる点は、この実施の形態ではスロットコア７のスロット溝５が深溝で、その底部が断面半円形である。しかし、スロット溝５の断面形状は限定されるものではない。また、スロットコア７の内部には、光ファイバ保護用の線条体としての例えば抗張力体２１（テンションメンバ）がスロット溝５の中心部とリップコード１１を結ぶ直線上に位置してスロットコア７の長手方向に延伸して埋設されている。なお、抗張力体２１としては、鋼線やＦＲＰなどを用いることができる。
【００２６】
上記構成により、光ファイバケーブル１９の作用、効果を説明すると、スロットコア７の底部に光ケーブル保護用の線条体としての抗張力体２１が実装されているので、切裂き工具１５の刃先からの光ファイバ３に対する保護効果をさらに高めることができる。他は、光ファイバケーブル１の作用、効果と同様である。
【図面の簡単な説明】
【００２７】
【図１】この発明の実施の形態の光ファイバケーブルの断面図である。
【図２】この発明の他の実施の形態の光ファイバケーブルの断面図である。
【図３】（Ａ）〜（Ｅ）は、図１の光ファイバケーブルの口出しを行うときの動作説明図である。
【符号の説明】
【００２８】
１  光ファイバケーブル
３  光ファイバ
５  スロット溝
７  スロットコア
９  シース
１１  リップコード（Rip Cord；引裂紐）
１３  開口部（スロット溝５の）
１５  切裂き工具
１７  引裂き部
１９  光ファイバケーブル（他の実施の形態の）
２１  抗張力体（光ファイバ保護用の線条体）
【図１】
2008076898.tif 000003
【図２】
2008076898.tif 000004
【図３】
2008076898.tif 000005